(57)【要約】【課題】電気スイッチ、特に、短絡される少なくとも２つの接点を有するホイルを組み込むスイッチ構成を提供する。【解決手段】電流のためのスイッチ構成は、スイッチハウジングと、スイッチハウジングに摺動可能に受け入れられたスイッチング要素と、電流を搬送するための導電通路を有し、ハウジングに取り付けられたホイルと、短絡及び／又は開かれることになる少なくとも２つの接点とを有する。接点の少なくとも１つは、ホイルの通路の区画によって形成される。スイッチング要素は、少なくとも２つの接点を短絡又は開くように移動可能であり、かつ≧０．５ｍｍの移動経路を有する。【選択図】図１
2013201131.tif 000002
【特許請求の範囲】
【請求項１】
電流のためのスイッチ構成であって、
スイッチハウジングと、
前記スイッチハウジングに摺動可能に受け入れられたスイッチング要素と、
電流を搬送するための導電通路を有し、前記ハウジングに取り付けられたホイルと、
短絡及び／又は開かれることになる少なくとも２つの接点と、
を含み、
前記接点の少なくとも１つが、前記ホイルの前記通路の区画によって形成され、前記スイッチング要素は、前記少なくとも２つの接点を短絡又は開くように移動可能であり、かつ≧０．５ｍｍの移動経路を有する、
ことを特徴とするスイッチ構成。
【請求項２】
両方の接点が、前記ホイルの前記導電通路によって形成されることを特徴とする請求項１に記載のスイッチ構成。
【請求項３】
橋絡接点が、前記接点を短絡させるために同じく設けられ、これも、前記ホイルの内側に配列されることを特徴とする請求項１又は請求項２に記載のスイッチ構成。
【請求項４】
短絡される接点が、前記ホイルの内側に配列されたバネ要素によって弾力的に装荷されることを特徴とする請求項１又は請求項２に記載のスイッチ構成。
【請求項５】
隔離間隙が、前記短絡される接点と前記橋絡接点の間に形成され、前記スイッチング要素は、この隔離間隙を取り除くために設けられることを特徴とする請求項３に記載のスイッチ構成。
【請求項６】
前記短絡される接点及び前記橋絡接点は、一方を他方の上にして配列されることを特徴とする請求項５に記載のスイッチ構成。
【請求項７】
前記短絡される接点及び前記橋絡接点は、一方を他方の上にしてホイル層の間に配列されることを特徴とする請求項６に記載のスイッチ構成。
【請求項８】
中間空間を生成する少なくとも１つの分離層が、前記接点を備えた前記ホイル層の間に配列されることを特徴とする請求項７に記載のスイッチ構成。
【請求項９】
前記スイッチング要素は、摺動ガイドに保持されて前記橋絡接点に対して作用する出っ張りを装備したスライダーであることを特徴とする請求項５から請求項８のいずれか１項に記載のスイッチ構成。
【請求項１０】
前記摺動ガイドは、前記ホイルの各部分がその中に突出する前記ハウジングによって形成されることを特徴とする請求項９に記載のスイッチ構成。
【請求項１１】
前記摺動ガイド内の前記スライダーは、少なくとも１つの圧縮バネによって緊張下に置かれ、かつ該摺動ガイドから突出する少なくとも１つのタペットを有することを特徴とする請求項９又は請求項１０に記載のスイッチ構成。
【請求項１２】
短絡される少なくとも１つの接点が、前記ホイルと共に固定された導電接触本体によって形成されることを特徴とする請求項１から請求項１１のいずれか１項に記載のスイッチ構成。
【請求項１３】
前記ホイル層は、折り畳まれた及び／又は曲げられた条件で存在する単一ホイルから形成されることを特徴とする請求項５から請求項１１のいずれか１項に記載のスイッチ構成。
【請求項１４】
前記ホイルは、前記接点及び前記導電通路を外部汚染から密封する閉じた仕切りを有することを特徴とする請求項１０から請求項１３のいずれか１項に記載のスイッチ構成。
【発明の詳細な説明】
【技術分野】
【０００１】
本発明は、電気スイッチに関し、特に、短絡される少なくとも２つの接点を有するホイルを組み込むスイッチ構成に関する。
【背景技術】
【０００２】
短絡される少なくとも２つの接点を含む電流のためのスイッチ構成は、多くの形態でかつ広範な用途に対して公知である。スイッチは、互いに短絡することができる少なくとも２つの接点を有する。この短絡により、スイッチにわたって導電フローが生じる。短絡は、次に、２つの接点自体が互いに接近する時に起こる場合があり、又は第３の接点も橋絡接点として含めることができる。
【０００３】
接点は、ワイヤによって形成することができる。プラスチック支持体上に銅の通路を含む接点も、プリント基板に対して公知である。スイッチは、そのようなプリント基板上に半田付けすることができる。このようにして信頼性のある作動を保証することができるが、プリント基板及び半田付けされたスイッチは、より多くの設置の手間を必要とするのみならず、多くの場合に、それらはまた、一部の用途の場合に妨げになるより高い設置高さをもたらす。
【発明の概要】
【発明が解決しようとする課題】
【０００４】
従って、効率的に生成することができ、かつ関わる小数の構成要素及び低い設置高さに関して特に際だっている短絡される少なくとも２つの接点を含む電流のためのスイッチ構成に対する要望がある。
【課題を解決するための手段】
【０００５】
これは、ホイル内の導電通路の区画によって接点の少なくとも１つを形成することにより本発明で達成することができ、≧０．５ｍｍの移動経路を有するスイッチング要素が提供される。
【０００６】
導電通路を備えた可撓性ホイルは、剛性プリント基板と同様に一般的に使用されている。それらは、電気構成要素と接触させることができ、それらにわたって電流が流れる。ここで、本発明により、スイッチ構成を生成するためにそのようなホイルを含めること、換言すれば、接点を有する外部スイッチとハウジングをホイルに固定するのではなく、ホイルをその導電通路と共にスイッチ構成の構造体に一体化することが提案される。
【０００７】
本発明により、短絡される接点の少なくとも１つが、導電通路の区画によってホイル内に形成される。通路は、電流を導通するための電気接触過程での使用に利用可能になるような方式でホイル内に露出させることができる。この通路は、導電フローが開閉されるようにスイッチ構成の別の隣接接点によって対処することができる。
【０００８】
同じく本発明により、移動経路が≧０．５ｍｍのスイッチング要素を提供する。このスイッチング要素は、発生する公差を補償することができるように比較的長い距離を移動することができる。接点を生成するためにホイルが使用されるという事実も、騒音を低減する助けになる。ホイルの区画の互いに向う及び／又はこれらのホイル上の追加構成要素から離れる接近及び分離移動は、騒音なしで、例えば、平滑なホイルの上で摺動させることによって実施することができる。
【０００９】
本発明の第１の改良により、短絡される両方の接点はまた、ホイル内の導電通路の区画によって形成することができる。接点は、例えば、電気回路が開いている時に互いから離れた距離に位置付けることができ、例えば、ホイルに圧力を加えることによって接点が互いの方向に向けて移動する場合、接点が閉じて電流が流れることが可能である。
【００１０】
両方の接点がホイル内に配列される時でさえも、接点を短絡するために橋絡接点を追加的に設けることができ、橋絡接点もホイルの内側に配列することができる。ここでもまた、例えば、外側から圧力を橋絡接点に作用させることができ、そのためにそれが２つの電気接点に向けて移動し、最終的にそれらと接触し、従って橋絡を生じる。
【００１１】
ホイルの内側の導電接点並びに架橋接点の配列の第１の恩典の１つは、それが設置高さを非常に低くすることができることである。更に、この種の接点の生成は、接点の確立をホイル生産に一体化することができるために自動化可能であり、従って簡略化されることである。ホイルはまた、本発明によるスイッチ構成が水分又はちりのような外部ファクタから隔離されるように閉じた構成を特徴とする。
【００１２】
本発明の更に別の改良により、短絡される接点が、ホイルの内側に配列されたバネ要素を通じて弾力的に装荷されるということを提供する。この構成は、更に別の代替を有し、それによると、短絡される接点を弾力的に装荷するためのバネ要素、例えば、ある一定のスイッチング感覚を喚起するクリッカー機構又は同様の構成要素を備えたバネ要素を提供することができる。
【００１３】
短絡される接点及びホイル内側に配列された橋絡接点を構成する時に、好ましくは、これらの接点の間に最初の絶縁間隙が形成され、かつこの間隙を取り除くためのスイッチング要素が存在するということが提供される。様々な接点を備えたホイル以外に、スイッチ構成を形成するためのスイッチング要素も存在し、このスイッチング要素は、橋絡接点を短絡される接点に向けて移動するように機能する。スイッチング要素は、従って、スイッチ構成が開閉されることを可能にする。
【００１４】
これに関連して、短絡される接点と橋絡接点とが互いの上に重ねて配列されるということを同じく提供することができる。この目的のために、ホイルは、特に、重ね合わせたホイル層を有することができ、短絡される接点及び橋絡接点は、様々なホイル層に割り当てられる。圧力が次に橋絡接点に上方から加えられる場合、橋絡接点は、短絡される接点を備えた層に向けて移動してそれらを短絡する。通常状態では、接点の間に間隙が存在し、この目的のために、中間の空間を生成する少なくとも１つの分離層を接点を備えたホイル層の間に配列することができる。
【００１５】
スイッチング要素を生成するために、本発明の更に別の改良は、スイッチング要素が、摺動ガイドに収容されたスライダーであり、かつ橋絡接点に作用する出っ張りが備え付けられるということを提供する。スライダーが変位されると、出っ張りが橋絡接点に対して作用し、この作用は、最終的に短絡が生じるまで橋絡接点を短絡される接点に接近させる。スライダーを通じて加圧作動を間接的に作用させることにより、スイッチ構成を取り囲む区域に対してより大きい許容差を提供することができる。摺動移動は、橋絡接点が短絡される接点に接近することを保証するために十分に長くなるように設計することができる。開閉するための摺動案内はまた、１方向に起こり、この１方向移動に対する斜め方向への移動がもたらされない。それによって摩耗の減少がもたらされ、そのためにスイッチの使用寿命が長くなり、その使用寿命の持続中に一定の電気信号が送出される。
【００１６】
摺動ガイドは、ハウジングの形態を有することができ、その中にホイルの各部分が突出する。このハウジングは、例えば、ホイルに向けてかつホイルの両側から互いに押圧され、かつハウジングを形成するために組み合わされる２つのハウジングの半分から構成される。接点は、ホイルと共にハウジングの内部の中に案内され、そこでハウジングの内側に収容されたスライダーによって影響を受けることができる。
【００１７】
スイッチ構成を生成するために、摺動ガイドのスライドが、少なくとも１つの圧縮バネによって緊張下に置かれ、かつ摺動ガイドから突出する少なくとも１つのタペットを有するということを提供することができる。タペットは、車のドアなどに向けて移動することにより、例えば、自動車の内部においてスイッチに対する加圧運動を吸収することができる。タペットに対してこの圧力が加えられると、タペットは、圧縮バネの力に対抗して摺動ガイド内で変位され、これは、出っ張りが短絡される接点に対抗して橋絡接点を加圧することを引き起こす。タペットに対する圧力が減少する場合、圧縮バネは、スライド及びタペットをその最初の位置に戻し、スイッチ構成が開く。
【００１８】
短絡される少なくとも１つの接点が、導電方式でホイル内に固定された接触本体によって形成されるということを更に提供することができる。接触本体は、ホイル内の導電通路よりもより固い構成のものとすることができる。そのような接触本体を用いて、有利な効果のために、スイッチ構成にわたってより強い電流を流すことも可能である。
【００１９】
最後に、更に別の変形の目的で、ホイル層が単一ホイルから構成され、その少なくとも各部分が折り畳まれるか又は曲げられるということも提供することができる。接点を備えた様々な層は、従って、単一ホイルによって形成することができ、これは、最初に折り畳まれており、その別々の区画は、次に、互いの上に重ね合わせられている。
【００２０】
本発明の好ましい実施形態を添付図面の図を参照して単に一例として今から説明する。図中、１つよりも多くの図に出現する同じ構造、要素、又は部分は、一般的に、それらが出現する全ての図において同じ参照番号でラベル付けされる。図に示す構成要素及び特徴部の寸法は、一般的に呈示の都合及び明瞭性によって選択され、必ずしも縮尺に従っていない。図は、以下に列挙する。
【図面の簡単な説明】
【００２１】
【図１】本発明による電流のためのスイッチ構成の斜視図である。
【図２】１８０°回転させてハウジング壁を取り外した図１の本発明による電流のためのスイッチ構成の別の斜視図である。
【図３】図１のスイッチ構成の構成要素の拡大した概略断面図である。
【図４】図１のスイッチ構成の図３に示す構成要素の代替的な実施形態の同様の図である。
【図５】図１のスイッチ構成の図３に示す構成要素の別の代替的な実施形態の同様の図である。
【発明を実施するための形態】
【００２２】
図１のスイッチ構成は、２つのハウジング壁で構成されたハウジング１と、ハウジング１から突出する作動フィンガ又はタペット２とを含む。ハウジング１は、平坦な構成である。ホイル３は、ハウジング１の内部の中に突出し、ホイル３は、導電通路４を有する。
【００２３】
図２は、図１に示したハウジング壁の１つがなく、かつホイル３がないスイッチ構成を示している。タペット２は、ハウジング１によって形成された摺動ガイドに保持されたスライダー５の一部である。スライダー５には、２つの圧縮バネ６で予め緊張が付与されている。突出又は出っ張り７が、図２に示すスライダーの上部に配列され、これは、矢印８の方向に圧力を作用させるために使用することができる。出っ張り７は、従って、圧力印加手段を形成する。
【００２４】
図１は、ホイル３がスイッチハウジングに直接に取り付けられた状態を示している。出っ張り７のあるスライダー５は、出っ張り７が局所的圧力を印加してホイル３の局所的弾性変形をもたらす状態でホイル３の表面に沿って摺動するように配列される。ホイル３の構造は、第１の実施形態の形態で図３に示している。底部から上に向けて、ホイル３の構成は、接着層８と、それに続く導電通路４を組み込むホイル層９とを含む。導電通路４は、例えば、銀で作るか又は銀のコーティングを有することができる。代替材料は、貴金属コーティングを有する銅とすることができる。分離層１０は、ホイル層９の上に配列することができ、それによって第１のホイル層９と第２のホイル層１１の分離が保証される。第２のホイル層１１は、橋絡接点１２を含み、これは、図３の矢印８の方向に圧力を印加することにより、導電通路４によって形成された接点に対して加圧される。これは、スイッチ構成を閉じさせる。
【００２５】
タペット２を備えたスライダー５は、接点が閉じられることを保証するために長い距離を移動することができる。図３は、ホイル層９内の接点通路４が、２つの区域内で互いにより近く形成されるが、第２のホイル層１１には、２つの橋絡接点１２も備え付けられることを示している。すなわち、２つの接点は、スライダー５によって交互に開閉することができる。接点構成の代替構成も可能である。
【００２６】
使用中に、タペット２に作用する力は、ハウジング内でスライダー５を摺動させる。スライダーが移動すると、出っ張り７の位置もホイルに沿っても移動する。出っ張り７は、ホイル３に対して力８を印加し、分離層１０を局所的に圧縮し及び／又はホイルを変形させ、そのために橋絡接点１２は、次に、導電通路４によって形成された接点に対して加圧され、すなわち、スイッチを作動する。
【００２７】
図４は、ホイル３の内部における代替構成を示している。第１のホイル層９の上に接着層１３があり、この上に銅の層１４がある。バネ要素１５が、この銅層１４の上に配列され、このバネ要素は、例えば、クリッキング機構の形態を有することができる。
【００２８】
この場合でも、分離層１０が存在し、銅の第２の層１６、接着層１３、及び別のホイル層１１がこの上に追加される。
【００２９】
図５では、銅層１４、１６には、接触本体１７が装備される。これらは、銅層１４、１６上に導電方式で配置され、従って、それらは、高電流強度を伝えることができる。
【００３０】
本明細書の説明及び特許請求の範囲では、動詞「ｃｏｍｐｒｉｓｅ」、「ｉｎｃｌｕｄｅ」、「ｃｏｎｔａｉｎ」及び「ｈａｖｅ」の各々と、それらの変形とは、包含的な意味に使用して述べる項目の存在を指定するが、付加的な項目の存在を除外するものではない。
【００３１】
本発明を１つ又はそれよりも多くの好ましい実施形態に関連して説明したが、様々な修正が可能であることは当業者によって認められるべきである。従って、本発明の範囲は、以下の特許請求の範囲を参照することによって判断されるものとする。
【符号の説明】
【００３２】
１  ハウジング
２  タペット
３  ホイル
４  導電通路
【図１】
2013201131.tif 000003
【図２】
2013201131.tif 000004
【図３】
2013201131.tif 000005
【図４】
2013201131.tif 000006
【図５】
2013201131.tif 000007
【外国語明細書】
2013201131.tif 000008
2013201131.tif 000009
2013201131.tif 000010
2013201131.tif 000011
2013201131.tif 000012
2013201131.tif 000013
2013201131.tif 000014
2013201131.tif 000015
2013201131.tif 000016
2013201131.tif 000017
2013201131.tif 000018
2013201131.tif 000019
2013201131.tif 000020